(57)【要約】【課題】高機能化と高付加価値化を実現した表示装置、携帯端末及び折り畳み型携帯端末を提供することを課題とする。【解決手段】透光性を有する第１の基板の一表面にマトリクス状に配置された複数の第１の画素と、透光性を有する第２の基板の一表面にマトリクス状に配置された複数の第２の画素とを有する。複数の第１の画素の各々は、第１の基板の一表面側の第１の表示画面及び第１の基板の一表面と反対側の第２の表示画面の方向に発光する第１の発光素子を有する。複数の第２の画素の各々は、第１の表示画面及び第２の表示画面の方向に発光する第２の発光素子を有する。第１の基板と第２の基板は、重なるように配置されている。【選択図】図６
2006163430.tif 000002
【特許請求の範囲】
【請求項１】
透光性を有する第１の基板の一表面にマトリクス状に配置された複数の第１の画素を有し、
透光性を有する第２の基板の一表面にマトリクス状に配置された複数の第２の画素を有し、
前記複数の第１の画素の各々は、前記第１の基板の一表面側の第１の表示画面及び前記第１の基板の一表面と反対側の第２の表示画面の方向に発光する第１の発光素子を有し、
前記複数の第２の画素の各々は、前記第１の表示画面及び前記第２の表示画面の方向に発光する第２の発光素子を有し、
前記第１の基板と前記第２の基板は、重なるように配置されていることを特徴とする表示装置。
【請求項２】
透光性を有する第１の基板の一表面にマトリクス状に配置された複数の第１の画素を有し、
透光性を有する第２の基板の一表面にマトリクス状に配置された複数の第２の画素を有し、
前記複数の第１の画素の各々は、前記第１の基板の一表面側の第１の表示画面及び前記第１の基板の一表面と反対側の第２の表示画面の方向に、白色に発光する第１の発光素子を有し、
前記複数の第２の画素の各々は、前記第１の表示画面及び前記第２の表示画面の方向に、白色に発光する第２の発光素子を有し、
前記第１の基板と前記第２の基板は、重なるように配置されていることを特徴とする表示装置。
【請求項３】
透光性を有する第１の基板の一表面にマトリクス状に配置された第１の画素、第２の画素及び第３の画素を有し、
透光性を有する第２の基板の一表面にマトリクス状に配置された第４の画素、第５の画素及び第６の画素を有し、
前記第１の画素は、前記第１の基板の一表面側の第１の表示画面及び前記第１の基板の一表面と反対側の第２の表示画面の方向に、赤色に発光する第１の発光素子を有し、
前記第２の画素は、前記第１の表示画面及び前記第２の表示画面の方向に、緑色に発光する第２の発光素子を有し、
前記第３の画素は、前記第１の表示画面及び前記第２の表示画面の方向に、青色に発光する第３の発光素子を有し、
前記第４の画素は、前記第１の表示画面及び前記第２の表示画面の方向に、赤色に発光する第４の発光素子を有し、
前記第５の画素は、前記第１の表示画面及び前記第２の表示画面の方向に、緑色に発光する第５の発光素子を有し、
前記第６の画素は、前記第１の表示画面及び前記第２の表示画面の方向に、青色に発光する第６の発光素子を有し、
前記第１の基板と前記第２の基板は、重なるように配置されていることを特徴とする表示装置。
【請求項４】
透光性を有する第１の基板の一表面にマトリクス状に配置された複数の第１の画素を有し、
透光性を有する第２の基板の一表面にマトリクス状に配置された複数の第２の画素を有し、
前記複数の第１の画素の各々は、前記第１の基板の一表面側の第１の表示画面及び前記第１の基板の一表面と反対側の第２の表示画面の方向に発光する第１の発光素子と、前記第１の発光素子の発光を制御する第１のトランジスタとを有し、
前記複数の第２の画素の各々は、前記第１の表示画面及び前記第２の表示画面の方向に発光する第２の発光素子と、前記第２の発光素子の発光を制御する第２のトランジスタとを有し、
前記第１の基板と前記第２の基板は、重なるように配置されていることを特徴とする表示装置。
【請求項５】
透光性を有する第１の基板の一表面にマトリクス状に配置された複数の第１の画素を有し、
透光性を有する第２の基板の一表面にマトリクス状に配置された複数の第２の画素を有し、
前記複数の第１の画素の各々は、前記第１の基板の一表面側の第１の表示画面及び前記第１の基板の一表面と反対側の第２の表示画面の方向に、白色に発光する第１の発光素子と、前記第１の発光素子の発光を制御する第１のトランジスタとを有し、
前記複数の第２の画素の各々は、前記第１の表示画面及び前記第２の表示画面の方向に、白色に発光する第２の発光素子と、前記第２の発光素子の発光を制御する第２のトランジスタとを有し、
前記第１の基板と前記第２の基板は、重なるように配置されていることを特徴とする表示装置。
【請求項６】
透光性を有する第１の基板の一表面にマトリクス状に配置された第１の画素、第２の画素及び第３の画素を有し、
透光性を有する第２の基板の一表面にマトリクス状に配置された第４の画素、第５の画素及び第６の画素を有し、
前記第１の画素は、前記第１の基板の一表面側の第１の表示画面及び前記第１の基板の一表面と反対側の第２の表示画面の方向に、赤色に発光する第１の発光素子と、前記第１の発光素子の発光を制御する第１のトランジスタとを有し、
前記第２の画素は、前記第１の表示画面及び前記第２の表示画面の方向に、緑色に発光する第２の発光素子と、前記第２の発光素子の発光を制御する第２のトランジスタとを有し、
前記第３の画素は、前記第１の表示画面及び前記第２の表示画面の方向に、青色に発光する第３の発光素子と、前記第３の発光素子の発光を制御する第３のトランジスタとを有し、
前記第４の画素は、前記第１の表示画面及び前記第２の表示画面の方向に、赤色に発光する第４の発光素子と、前記第４の発光素子の発光を制御する第４のトランジスタとを有し、
前記第５の画素は、前記第１の表示画面及び前記第２の表示画面の方向に、緑色に発光する第５の発光素子と、前記第５の発光素子の発光を制御する第５のトランジスタとを有し、
前記第６の画素は、前記第１の表示画面及び前記第２の表示画面の方向に、青色に発光する第６の発光素子と、前記第６の発光素子の発光を制御する第６のトランジスタとを有し、
前記第１の基板と前記第２の基板は、重なるように配置されていることを特徴とする表示装置。
【請求項７】
請求項２又は請求項５において、
前記第１の発光素子と前記第２の発光素子の各々は、第１の電極と第２の電極を有し、
前記第１の電極上に設けられた第１のカラーフィルタと、
前記第２の電極上に設けられた第２のカラーフィルタと、を有することを特徴とする表示装置。
【請求項８】
請求項１、請求項２、請求項４又は請求項５のいずれか一項において、
前記第１の発光素子と前記第２の発光素子の各々が含む一対の電極の一方は、酸化インジウム酸化スズ合金、酸化インジウム酸化亜鉛合金、酸化亜鉛、または珪素を含む酸化インジウム酸化スズ合金を含むことを特徴とする表示装置。
【請求項９】
請求項１、請求項２、請求項４又は請求項５のいずれか一項において、
前記第１の発光素子と前記第２の発光素子の各々が含む一対の電極の一方は、銀、アルミニウム、リチウム、カルシウム、マグネシウム銀合金、マグネシウムインジウム合金、アルミニウムリチウム合金、カルシウムフッ素合金、またはカルシウム窒素合金を含むことを特徴とする表示装置。
【請求項１０】
請求項１、請求項２、請求項４又は請求項５のいずれか一項において、
前記第１の発光素子と前記第２の発光素子の各々が含む一対の電極の一方を通過する発光と、前記一対の電極の他方を通過する発光との透過率、吸収率及び反射率から選択された１つまたは複数は同一であることを特徴とする表示装置。
【請求項１１】
請求項１、請求項２、請求項４又は請求項５のいずれか一項において、
前記第１の発光素子と前記第２の発光素子の各々は、エレクトロルミネッセンス素子であることを特徴とする表示装置。
【請求項１２】
請求項３又は請求項６において、
前記第１の発光素子、前記第２の発光素子、前記第３の発光素子、前記第４の発光素子、前記第５の発光素子及び前記第６の発光素子の各々が含む一対の電極の一方は、酸化インジウム酸化スズ合金、酸化インジウム酸化亜鉛合金、酸化亜鉛、または珪素を含む酸化インジウム酸化スズ合金を含むことを特徴とする表示装置。
【請求項１３】
請求項３又は請求項６において、
前記第１の発光素子、前記第２の発光素子、前記第３の発光素子、前記第４の発光素子、前記第５の発光素子及び前記第６の発光素子の各々が含む一対の電極の一方は、銀、アルミニウム、リチウム、カルシウム、マグネシウム銀合金、マグネシウムインジウム合金、アルミニウムリチウム合金、カルシウムフッ素合金、またはカルシウム窒素合金を含むことを特徴とする表示装置。
【請求項１４】
請求項３又は請求項６において、
前記第１の発光素子、前記第２の発光素子、前記第３の発光素子、前記第４の発光素子、前記第５の発光素子及び前記第６の発光素子の各々が含む一対の電極の一方を通過する発光と、前記一対の電極の他方を通過する発光との透過率、吸収率及び反射率から選択された１つまたは複数は同一であることを特徴とする表示装置。
【請求項１５】
請求項３又は請求項６において、
前記第１の発光素子、前記第２の発光素子、前記第３の発光素子、前記第４の発光素子、前記第５の発光素子及び前記第６の発光素子の各々は、エレクトロルミネッセンス素子であることを特徴とする表示装置。
【請求項１６】
請求項１乃至請求項１５のいずれか一項に記載の前記表示装置を有する携帯端末。
【請求項１７】
請求項１乃至請求項１５のいずれか一項に記載の前記表示装置を有する折り畳み型携帯端末。
【請求項１８】
請求項１乃至請求項１５のいずれか一項に記載の前記表示装置とスピーカーを含む第１の筐体と、マイクロホンを含む第２の筐体を有する折り畳み型携帯端末。
【発明の詳細な説明】
【技術分野】
【０００１】
本発明は携帯電話機やＰＤＡ（personal digital assistant）などの携帯端末に関し、
特に、発光素子を具備し、表示画面を表裏に有する両面表示パネルを有する携帯端末に関する。
【０００２】
また本発明は、表示画面を表裏に有する表示装置に関する。さらに本発明は、イメージ
センサ機能を有し、かつ表示画面を表裏に有する表示装置に関する。
【背景技術】
【０００３】
近年、発光装置として、液晶素子を用いた画素を有する液晶ディスプレイ（ＬＣＤ）に
代わり、エレクトロルミネッセンス（ＥＬ）素子等を代表とする発光素子を用いた発光装
置の研究開発が進められている。これらの発光装置は、発光型ゆえの高画質、広視野角、
バックライトを必要としないことによる薄型、軽量等の利点を活かして、携帯端末の表示
画面として幅広く利用されている。
【０００４】
携帯端末は、その使用目的の多角化によって高付加価値が求められ、最近では、通常の
表示面の裏側にサブ表示面を設けたものが提供されている（例えば特許文献１参照）。
【特許文献１】特開２００１−２８５４４５号公報  なお、携帯端末の内、携帯電話機においては、第１及び第２の筐体がヒンジを介して連結された、所謂折り畳み型が市場の主流となっている。
【発明の開示】
【発明が解決しようとする課題】
【０００５】
本来の表示面に加え、サブ表示面を設けた携帯端末は、バックライト等を含むモジュー
ルが占める容積に加え、それらを駆動するコントロールＩＣ等を実装した基板等が占める
容積も無視できないものになる。特に最近提供されている携帯端末は、軽薄短小化が著し
く、高付加価値化とのトレードオフとなっている。
【０００６】
また、サブ表示面を設けた折り畳み型携帯端末は、第１の表示画面と第２の表示画面と
が表裏に背中合わせになっているため、折角２つの表示画面を具備しているにも関わらず
、携帯電話機を開けた状態、又は閉じた状態の両方の状態において、排他的に一方しか利
用することができなかった。また、内側の表示画面を確認するためには、携帯電話機を開
けた状態にしなければならないため、不便を感じることが多かった。
【０００７】
さらに、移動体通信市場では、携帯電話機の新規加入の減少傾向が続いており、市場の
伸び悩みがはっきりしてきている。そこで、新規加入の増減や機種選択を左右する大きな
要素となる携帯電話機の機能には、さらなる高機能化、高付加価値化が求められている。
【０００８】
そこで本発明は、容積の小さいモジュール化の可能なパネルを用いることで、高付加価
値化を実現した携帯端末を提供することを課題とする。また、折り畳み型携帯端末におい
て、開閉しなくても、表示画面を確認することができる携帯端末を提供することを課題と
する。さらに、市場の活性化のため、さらなる高機能化、高付加価値化を実現した携帯端
末を提供することを課題とする。また本発明は、高機能化と高付加価値化を実現した表示
装置を提供することを課題とする。
【課題を解決するための手段】
【０００９】
上述した課題を解決するために、本発明においては以下の手段を講じる。
【００１０】
本発明は、両面表示パネルを有する第１筐体と、操作ボタンを有する第２筐体がヒンジ
を介して連結された折り畳み型携帯端末であることを特徴とする。そして、前記両面表示
パネルは、透光性を有する基板の一表面にマトリクス状に配置された複数の画素及び第１
の表示画面を有し、前記一表面と反対の表面に第２の表示画面を有し、前記複数の画素の
各々は、前記第１の表示画面及び前記第２の表示画面方向に発光する発光素子を有するこ
とを特徴とする。
【００１１】
また別の構成として、前記両面表示パネルは、透光性を有する基板の一表面にマトリク
ス状に配置された複数の第１の画素及び第１の表示画面を有し、前記一表面と反対の表面
にマトリクス状に配置された複数の第２の画素及び第２の表示画面を有し、前記複数の第
１及び第２の画素の各々は、前記第１の表示画面及び前記第２の表示画面方向に発光する
発光素子を有することを特徴とする。
【００１２】
さらに別の構成として、前記両面表示パネルは、透光性を有する基板の一表面にマトリ
クス状に配置された複数の画素及び第１の表示画面を有し、前記一表面と反対の表面に第
２の表示画面を有し、前記複数の画素の各々は、前記第１の表示画面及び前記第２の表示
画面方向に発光する発光素子と、光電変換素子とを有することを特徴とする。本構成を有
する携帯端末において、発光素子は、被写体の情報を読み取る際の光源としての役割と、
画像を表示する役割の２つの役割を果たす。そして、両面表示パネルは、被写体の情報を
読み取るイメージセンサ機能と、画像を表示する表示機能の２つの機能を有する。
【００１３】
本発明は、第１の筐体に複数の両面表示パネルが具備された携帯端末であることを特徴
とする。そして、この複数のパネルは、互いに異なる情報を表示することを特徴としてお
り、前記特徴により、表示画面に立体的な映像を表示したり、例えば警告表示と通常の表
示などの複数の画像を重ね合わせたりすることができる。また、第１の筐体に３枚の両面
表示パネルを配置する場合には、前記第１両面表示パネルは赤の表示素子を有し、前記第
２両面表示パネルは緑の表示素子を有し、前記第３両面表示パネルは青の表示素子を有す
ることで、カラー画像を表示することができる。
【００１４】
本発明は、第１の筐体に両面表示パネル及びマイクロホンが具備され、第２の筐体には
操作ボタン及びスピーカが具備されることを特徴とする。そのため、スピーカを有する第
２の筐体を耳に当てて、マイクロホンを有する第１の筐体を口に当てて操作することが好
適である。
【００１５】
本発明は、前記両面表示パネルの一表面、及び前記一表面と反対の表面の各々に偏光板
を有することを特徴とする。本構成によると、両面表示パネル自体が透明ではなくなるた
め、周囲のものが透けて見えることはない。
【００１６】
上記構成を有する本発明は、表裏の各々に表示画面を具備した両面表示パネルを用いる
ことで小型化を実現し、さらに開閉しなくても表示画面を確認することができる携帯端末
を提供することができる。そのため、さらなる高機能化、高付加価値化を実現した携帯端
末を提供することができる。
【００１７】
また、発光素子は、透光性の第１の電極と、該第１の電極上に接し、且つ赤、緑及び青
の各色の光を発する有機化合物を含む層と、該有機化合物を含む層上に接する透光性の第
２の電極とを有し、前記第１の電極を通過する発光と前記第２の電極を通過する発光の透
過率、吸収率及び反射率から選択された一つ又は複数は、同一であることを特徴とする。
上記特徴により、前記陽極を介して発せられる上面への発光と、前記陰極を介して発せら
れる下面への発光の色調が均一であり、高品質な画像表示が得られる表示装置、携帯端末
を提供することができる。
【００１８】
本発明は、透光性を有する基板の一表面にマトリクス状に配置された複数の画素及び第
１の表示画面を有し、前記基板の一表面と反対の表面に第２の表示画面を有し、前記複数
の画素の各々は、前記基板の一表面及び前記基板の一表面と反対の表面に発光する発光素
子を有し、前記基板の一表面に第１の偏光板を有し、前記基板の一表面と反対の表面に第
２の偏光板を有する表示装置を提供することを特徴とする。また、前記基板の一表面に、
第１の１／２波長板及び第１の１／４波長板の一方又は両方を有し、前記基板の一表面と
反対の表面に、第２の１／２波長板及び第２の１／４波長板の一方又は両方を有すること
を特徴とする。また、６２０ｎｍにピークを有する赤色発光素子と、５３０ｎｍにピーク
を有する緑色発光素子と、４５０ｎｍにピークを有する青色発光素子を用いると仮定した
とき、各々の発光素子を構成する積層体の膜厚を調節することにより、陰極側と陽極側の
透過率及び反射率並びに吸収率から選択された一つ又は複数を、同一又はほぼ同一にする
ことができる。そして、透過率及び反射率並びに吸収率から選択された1つまたは複数の
値を用いて、赤、緑及び青の色度座標を算出すると、色度図において、青、緑、及び青の
３つの色度座標は、陰極側と陽極側とで、同一又はほぼ同一の三角形を形成する。その結
果、上面への発光および下面への発光ともに色調が均一、且つ、高品質な画像表示が得ら
れる。また、よりきれいな黒表示と高コントラスト化を実現する。なお本発明における表
示装置とは、発光素子を基板とカバー材との間に封入したパネル（両面表示パネル）、前
記パネルにＩＣ等を実装したモジュール、画像を表示する機能を有するディスプレイなど
を範疇に含む。つまり表示装置は、パネル、モジュール及びディスプレイ等の総称に相当
する。
【発明の効果】
【００１９】
上記構成を有する本発明は、表裏の各々に表示画面を具備した両面表示パネルを用いる
ことで小型化を実現し、さらに開閉しなくても表示画面を確認することができる携帯端末
を提供する。そのため、さらなる高機能化、高付加価値化を実現した携帯端末を提供する
ことができる。
【００２０】
また、両面表示パネルを用いることで、斬新なデザインを設計することができ、携帯端
末に高付加価値化を図ることができる。両面表示パネルはどこから見ても見やすい視認性
の高い表示が可能で、コントラスト比が高く、優れた表示品質を有し、且つ自発光型であ
るため、バックライトのような光源が不要で、薄型のパネルを提供することが可能である
ため、携帯端末には特に有効である。
【００２１】
さらに、表裏の各々に表示画面を具備した両面表示パネルを用いることで、高機能化と
高付加価値化を実現した表示装置を提供することができる。
【発明を実施するための最良の形態】
【００２２】
本発明の実施の形態について、図面を用いて詳細に説明する。但し、本発明は以下の説
明に限定されず、本発明の趣旨及びその範囲から逸脱することなくその形態及び詳細を様
々に変更し得ることは当業者であれば容易に理解される。従って、本発明は以下に示す実
施の形態の記載内容に限定して解釈されるものではない。例えば、本実施の形態では、携
帯端末のうち携帯電話機について示すが、その他ＰＤＡやノートパソコンなどの携帯端末
に本発明を適用することは容易である。また、以下に説明する本発明の構成において、同
じものを指す符号は異なる図面間で共通して用いる。また以下の実施の形態においては、
スイッチ素子や駆動素子として、薄膜トランジスタ（ＴＦＴ）を用いた例を挙げるが、本
発明はこれに特に限定されない。例えば、ＭＯＳトランジスタ、有機トランジスタ、分子
トランジスタ等も同様に用いることができる。
（実施の形態１）
本発明を適用した携帯端末において第１の実施の形態となる携帯電話機の詳細な構成に
ついて、図１を用いて説明する。図１（Ａ）〜（Ｆ）において、１０１は両面表示パネル
、１０２は受話部であるスピーカ、１０３は送話部であるマイクロホン、１０４は本端末
を操作するための操作ボタン、１０５は第１の筐体、１０６は第２の筐体、１０７は電源
供給源であるバッテリ、１０８は本端末を駆動するためのＩＣなどを具備するモジュール
、１０９は両面表示パネル１０１を駆動するモジュール、１１０は第１の筐体１０５と第
２の筐体１０６を折り畳み可能なように連結するヒンジ（蝶番ともいう）である。なお図
示していないが、本端末には、撮影する機能を有するカメラ、電磁波を受信するアンテナ
などを具備してもよい。またストラップ、イヤホンマイク、ステレオイヤホンセットなど
の付属品を具備してもよい。
【００２３】
本発明は、両面表示パネル１０１及び送話部であるマイクロホン１０３が同じ筐体（こ
こでは第１の筐体１０５）に具備され、操作ボタン１０４及び受話部であるスピーカ１０
２が同じ筐体（ここでは第２の筐体１０６）に具備されることを特徴とする。つまり、ス
ピーカ１０２を有する第２の筐体１０６は耳に当てて、マイクロホン１０３を有する第１
の筐体１０５は口に当てるため、本端末を操作する際、第２の筐体１０６を上に、第１の
筐体１０５を下にくるように用いる。また、操作ボタン１０４を操作する際には、第２の
筐体１０６を使用者の方向に向けて用いる。
【００２４】
また本発明は、両面表示パネル１０１を用いることを特徴とする。両面表示パネル１０
１とは、透光性を有する基板の一表面と反対の表面の合わせて２つの表面に表示画面を有
するものである。換言すると、透光性を有する基板の表裏それぞれに表示画面を有し、該
表示画面により画像を表示する。透光性を有する基板の表裏の一方又は両方には、複数の
画素が具備される。そして、前記複数の画素の各々には、表示素子が具備され、好適には
自発光型の発光素子を用いる。つまり、本発明で用いる両面表示パネル１０１は、透光性
を有する基板上に表裏に発光する表示素子を具備するものであり、透明ディスプレイとも
称される。そのため、第１の筐体１０５及び第２の筐体１０６の一方又は両方に透光性を
有する材料を用いた場合、その携帯端末は、スケルトンタイプの携帯端末となり、デザイ
ン性がさらに向上する。
【００２５】
本携帯端末の使用者は、両面表示パネル１０１を見る方向によっては、通常の表示では
なく、簡単に水平反転した表示を見ることができる。従って、第１の筐体１０５及び第２
の筐体１０６を開いた状態と閉じた状態の２つの状態において、センサや操作ボタン１０
４による命令に従って、切り換え回路を用いて両面表示パネル１０１に表示される画像を
簡単に水平反転できるようにすることが好ましい。
【００２６】
さらに本発明は、第１の筐体１０５と第２の筐体１０６がヒンジ１１０を介して連結さ
れているために、折り畳み可能であることを特徴とする。本特徴により、携帯端末の小型
化及び表示画面の大型化が実現される。
【００２７】
図１（Ａ）〜（Ｃ）は、ヒンジ１１０により連結された第１の筐体１０５及び第２の筐
体１０６が開いた状態であり、図１（Ａ）は内側から見た場合、図１（Ｂ）は側面から見
た場合、図１（Ｃ）は外側から見た場合を示す。図１（Ａ）（Ｃ）において、両面表示パ
ネル１０１には画像が表示されている。図１（Ａ）に示す内側の表示画面と、図１（Ｃ）
に示す外側の表示画面では、表裏に背中合わせの関係となっているため、水平反転した関
係になっている。また図１（Ｂ）において、両面表示パネル１０１が、表裏の各々に表示
画面を有していることが分かる。
【００２８】
図１（Ｄ）〜（Ｆ）は、ヒンジにより連結された第１の筐体１０５及び第２の筐体１０
６が閉じた状態であり、図１（Ｄ）は第１の筐体１０５から見た場合、図１（Ｅ）は側面
から見た場合、図１（Ｆ）は第２の筐体１０６から見た場合を示す。図１（Ｄ）において
、両面表示パネル１０１は透光性を有するために、第２の筐体１０６に具備された操作ボ
タン１０４を確認することができる。
【００２９】
図２には、実際に使用者が携帯端末を操作している状態を示す。図２（Ａ）は両面表示
パネル１０１を見ている状態であり、使用者の掌紋が両面表示パネル１０１を介して確認
することができる。図２（Ｂ）は指で操作ボタン１０４を操作している状態であり、使用
者の手が両面表示パネル１０１を介して確認することができる。
【００３０】
なお、図２において示すように、使用者は、携帯端末を手で挟むようにもつため、操作
ボタン１０４は、第２の筐体１０６の一方の面だけでなく、第１の筐体１０５と第２の筐
体１０６の側面に配置してもよい。そうすると、さらに操作がしやすくなる。但し、不用
意に操作される可能性もあるため、側面に配置された操作ボタン１０４を配置する場合に
はロック機能も一緒に配置するとよい。
【００３１】
本発明は、折り畳み型携帯端末に両面表示パネル１０１を用いることを大きな特徴とし
ており、図２（Ａ）に示すように持つことで、両面表示パネル１０１を手で隠すことがで
きる。この持ち方は、両面表示パネル１０１に大事な情報を表示している場合に、他人に
見られるといった心配がなく、プライバシーの管理に有効である。また、操作ボタン１０
４を操作する際には、手をずらすことで簡単に操作することが可能で、片手で操作するこ
ともできる。
【００３２】
上記構成を有する本発明は、表裏の各々に表示画面を具備した両面表示パネルを用いる
ことで小型化を実現し、さらに開閉しなくても表示画面を確認可能な携帯端末を提供する
ことができる。従って、さらなる高機能化、高付加価値化を実現した携帯端末を提供する
ことができる。
（実施の形態２）
本発明の実施の形態について、図面を用いて説明する。本実施の形態では、第１及び第
２の表示画面を有する両面表示パネル１０１の構成について詳細に説明する。図３（Ａ）
にはトランジスタを用いたアクティブ型、図３（Ｂ）にはパッシブ型を示す。
【００３３】
図３（Ａ）において、透光性を有する基板２００上に、駆動用トランジスタ２０１、第
１の電極（画素電極）２０２、発光層２０３及び第２の電極（対向電極）２０４が設けら
れている。第１の電極２０２、発光層２０３及び第２の電極２０４の積層体が発光素子２
２５に相当する。そして本発明では、第１の電極２０２及び第２の電極２０４は透光性を
有する材料により形成されることを特徴とする。そのため、発光素子２２５は、基板２０
０に向かう第１の方向と、第１の方向とは反対の第２の方向に発光し、第１の表示領域２
０５と第２の表示領域２０６を有する。なお、第１の電極２０２及び第２の電極２０４を
構成する透光性材料とは、ＩＴＯ（インジウムスズ酸化物）等の透明導電膜、又は光を透
過できる厚さで形成されたアルミニウム等を用いたものを指す。
【００３４】
図３（Ｂ）において、透光性を有する基板２００上に第１の電極（画素電極）２６０、
発光層２６１及び第２の電極（対向電極）２６２が設けられている。第１の電極２６０、
発光層２６１及び第２の電極２６２の積層体が発光素子２２５に相当する。またバンクと
して機能する絶縁膜２６３及び樹脂膜２６４が設けられている。
【００３５】
このように、パッシブ型の場合には、発光層２６１を電極で挟んだ構造をしている。発
光層２６１としては、無機材料を主成分とした材料を用いてもよく、その場合、第１の電
極２６０と発光層２６１の間、又は第２の電極２６２と発光層２６１の間に絶縁層を設け
てもよい。この絶縁層としては、成膜表面の吸着反応を利用した熱ＣＶＤ法を用いて、酸
化アルミニウム（Ａｌ2Ｏ3）と酸化チタニウム（ＴｉＯ2）を交互に積層した構造を用い
るとよい。
【００３６】
本実施の形態は、上記の実施の形態と自由に組み合わせることができる。
（実施の形態３）
本発明の実施の形態について、図面を用いて説明する。本実施の形態では、第１及び第
２の表示画面を有し、さらにイメージセンサ機能を有する両面表示パネル１０１の構成に
ついて詳細に説明する。
【００３７】
図４（Ａ）は、透光性を有する基板２００上に形成された駆動用トランジスタ２０１、
透光性材料により形成された第１の電極（画素電極）２０２、発光層２０３及び透光性材
料により形成された第２の電極（対向電極）２０４が設けられている。発光素子２２５は
、基板２００に向かう第１の方向と、第１の方向とは反対の第２の方向に発光する。そし
て、第２の電極２０４上に形成された絶縁膜２３５上に、Ｐ型層２３１、Ｉ型（真性）層
２３２及びＮ型層２３３の積層体からなる光電変換素子２３８と、Ｐ型層２３１に接続さ
れた電極２３０、Ｎ型層２３３に接続された電極２３４が設けられる。
【００３８】
上記構成を有する両面表示パネル１０１は、光源として発光素子２２５、イメージセン
サ素子として光電変換素子２３８を用いる。発光素子２２５及び光電変換素子２３８は同
一の基板２００上に配置されており、発光素子２２５から発せられる光は、被写体２３７
において反射して、その反射した光は光電変換素子２３８に入射する。そうすると、光電
変換素子２３８の両電極間の電位差は変化し、その変化した電位差に応じて両電極間に電
流が流れ、その流れた電流量を検知することで、被写体２３７の情報を得ることができる
。そして、得られた情報は、発光素子２２５を用いて表示することができる。なお、イメ
ージセンサ機能を用いる際には、光源から発せられる光が被写体において反射するように
、携帯端末を折り畳んだ状態で用いることが好ましい。
【００３９】
つまり、発光素子２２５は、被写体の情報を読み取る際の光源としての役割と、画像を
表示する役割の２つの役割を果たす。そして、両面表示パネル１０１は、被写体の情報を
読み取るイメージセンサ機能と、画像を表示する表示機能の２つの機能を有する。このよ
うな２つの機能を有しているにも関わらず、イメージセンサ機能を用いる際には通常必要
である光源や光散乱板を別個に設ける必要がないため、本実施の形態における両面表示パ
ネル１０１を用いると、大幅な小型化、薄型化及び軽量化が実現する。
【００４０】
上記構成を有する両面表示パネルの等価回路の一例について、図４（Ｂ）を用いて説明
する。図４（Ｂ）には一つの画素２５０を示し、画素２５０は発光素子２２５を有する副
画素２１７と、光電変換素子２３８を有する副画素２４９を有する。副画素２１７は、信
号線２２０、電源線２２１、走査線２２２、ビデオ信号の入力を制御するスイッチ用トラ
ンジスタ２２３、入力されたビデオ信号に応じた電流を発光素子２２５に供給する駆動用
トランジスタ２２４を有する。なおこの副画素２１７の構成は、図３（Ａ）に示したトラ
ンジスタと発光素子を有する断面構造における、代表的な回路構成としても適用すること
ができる。
【００４１】
また、副画素２１７は、駆動用トランジスタ２２４のゲート・ソース間電圧を保持する
容量素子２２７を有する。但し、ゲート・ソース間電圧を保持する容量として、ゲート容
量や寄生容量で賄うことができる場合は、容量素子２２７を新たに設けなくてもよい。ま
た、発光素子２２５の第２の電極２０４は対向電源２２６に接続する。
【００４２】
一方、副画素２４９は、信号線２４０、電源線２４１、走査線２４２、２４３、光電変
換素子２３８の両電極間の電位差をリセットするリセット用トランジスタ２４６、光電変
換素子２３８の両電極間の電位差によりそのソース・ドレイン間に流れる電流量が決定す
る増幅用トランジスタ２４５と、光電変換素子２３８から読み取られた信号の駆動回路へ
の入力を制御するスイッチ用トランジスタ２４４を有する。また、光電変換素子２３８の
Ｐ型層２３１とＮ型層２３３の一方は電源２４８に接続する。
【００４３】
なお、ここでは、アクティブ型の発光素子と、光電変換素子とを同一基板上に形成する
形態を示したが、図３（Ｂ）に図示したようなパッシブ型の発光素子と光電変換素子とを
同一基板上に形成してもよい。また、一画素に発光素子２２５及び光電変換素子２３８を
有する場合を図示したが、画素毎に光電変換素子２３８を設ける必要はなく、読み取る被
写体や携帯端末の用途に従って、複数の画素毎に光電変換素子２３８を設けてもよい。そ
うすると、発光素子２２５の開口率が拡大するため、明るい画像を提供することができる
。
【００４４】
本実施の形態は、上記の実施の形態と自由に組み合わせることができる。
（実施の形態４）
本発明の実施の形態について、図面を用いて説明する。本実施の形態では、第１及び第
２の表示画面を有する両面表示パネル１０１の構成について、上記の実施の形態とは異な
る場合について説明する。
【００４５】
図５（Ａ）において、点線で囲んだ２６６と２６７の部分の断面構造は、絶縁膜２６８
、２６９が形成されている以外は、図３（Ａ）に示した断面構造と同じであるので、詳細
な説明は省略する。そして、以下には、図５（Ａ）に示した両面表示パネルの作製方法の
一例について簡単に説明する。
【００４６】
まず、石英やガラス基板からなる第１の基板上に、２６６、２６７に示す部分の断面構
造と同じになるように、トランジスタ２０１及び発光素子２２５を形成する。形成された
発光素子２２５上に絶縁膜を形成し、絶縁膜上に接着剤を形成し、接着剤上に両面テープ
を貼り付け、両面テープ上に第２の基板を貼り付ける。その後、物理的手段により、第１
の基板を剥離すると、トランジスタ２０１の下部に形成された下地膜が露出する。続いて
、露出した下地膜に接着剤を形成し、この接着剤を用いて第３の基板に貼り付ける。そし
て最後に、第２の基板を剥離すると、第３の基板にトランジスタ２０１及び発光素子２２
５を形成することができる。この場合、第３の基板として、例えばプラスチック基板など
の温度に脆弱な基板を用いてもよい。可撓性を有するプラスチック基板を用いたパネルを
用いると、用途が格段に広がる。また、プラスチック基板は軽量であるため、携帯端末に
は特に有効である。なお第３の基板に貼り付ける際には、トランジスタなどの半導体素子
が表裏で重なるようにすることが好ましい。
【００４７】
上記構成を有する携帯端末を用いると、パネル１０１に表示される画像を重ね合わせる
ことができる。例えば、図５（Ｂ）に示すように、基板２００上の一表面に形成された発
光素子を用いて動物の画像を表示し、また前記一表面とは反対の表面に形成された発光素
子を用いて、背景の画像を表示する。そうすると、遠近感が表現されて、映像を立体的に
表示することができる。
【００４８】
また別の使用方法として、カメラにより撮影した画像を表示画面に表示する場合、一表
面に画像を表示し、この一表面とは反対の表面にキャラクターなどを用いたフレームを重
ね合わせたり、一表面に人物を含む画像を表示し、この一表面とは反対の表面に台詞が入
った吹き出しを重ね合わせたりしてもよい。さらに、一表面に受信メールを表示し、この
一表面とは反対の表面に着信や新規メールといった警告が重ね合わせるようにしてもよい
。そうすると、着信や新規メールを受け取った際に表示画面が切り替わることがなく、携
帯端末に大きな付加価値を提供する構成となる。
【００４９】
なお、ここでは、図３（Ａ）で示したアクティブ型の素子を貼り合わせる形態を示した
が、図３（Ｂ）に示したパッシブ型の素子を貼り合わせてもよい。
【００５０】
本実施の形態は、上記の実施の形態と自由に組み合わせることができる。
（実施の形態５）
本発明の実施の形態について、図面を用いて説明する。本実施の形態では、第１及び第
２の表示画面を有する両面表示パネルを複数枚重ねて配置した携帯端末の構成について説
明する。
【００５１】
図６（Ａ）において、３枚の両面表示パネル２７０〜２７２が重ねて配置されており、
これに伴って、パネル２７０〜２７２を駆動するモジュール２７３〜２７５が重ねて配置
されている。３枚のパネルの各々は、図３〜図５のいずれかの構成を有している。但し、
図４のイメージセンサ素子を有する構成のパネルは、なるべく被写体に近い方が好ましい
ため、筐体に一番近い位置（パネル２７０かパネル２７２）にくるように配置することが
好適である。
【００５２】
そして、３枚のパネルに表示された画像を重ね合わせることで、カラー画像を表示する
。例えば、図６（Ｄ）に示すように、パネル２７０で青（Ｂ）、パネル２７１で緑（Ｇ）
、パネル２７２で赤（Ｒ）の画像を表示し、それらの画像を重ね合わせることで、図６（
Ｅ）に示すカラー画像を表示することができる。この際、パネル２７０〜２７２において
、図６（Ｂ）に示すようにＲＧＢの各色を表示する表示素子を全面に配置してもよいし、
図６（Ｃ）に示すようにＲＧＢの各色を表示する表示素子をそれぞれ重ならないように配
置してもよい。なお、図６（Ｂ）、（Ｃ）は図６（Ａ）における領域２７６の拡大図を示
す。
【００５３】
また上記とは別の形態として、２枚の両面表示パネルを重ねて配置した携帯端末の場合
に、図６（Ｆ）に示すように一方のパネルにディジタル表示、他方のパネルにアナログ表
示をしてもよい。そうすると、アナログ表示とディジタル表示が重なった表示を確認する
ことができるため、大変便利である。また、実施の形態４において上述したように、一方
のパネルに画像を表示し、他方のパネルにフレームや台詞の入った吹き出しを表示したり
、一方のパネルに受信メールを表示し、他方のパネルに着信や新規メールといった警告を
表示したりするようにしてもよい。
【００５４】
さらに上記とは別の形態として、複数枚（好ましくは２〜７枚）の両面表示パネルを重
ねて配置し、各々の両面表示パネルは同じ映像を表示しているものの、各パネルに表示さ
れる映像の色の明るさを変えることで、立体的な画像（３Ｄ画像）を表示してもよい。こ
れは、明るさの比率を変えると、映像の中の同じ物体が近くに見えたり、遠くに見えたり
する点を活用したものである。
【００５５】
このように、複数枚のパネルを重ねた構成を有する携帯端末は、大幅な高機能化、高付
加価値化を実現する。
【００５６】
なお、上記の複数枚の両面表示パネルを重ねる構成は、携帯端末だけではなく、表示装
置として用いたり、他の電子機器に適用したりすることができる。
【００５７】
本実施の形態は、上記の実施の形態と自由に組み合わせることができる。
（実施の形態６）
本実施の形態では、本発明の携帯端末に搭載する両面表示パネルについて、上記とは異
なる形態について図１０を用いて説明する。
【００５８】
つまり、本実施の形態では、第１及び第２の表示画面を有する両面表示パネル１０１の
構成について、上記の実施の形態とは異なる場合について説明する。
【００５９】
図１０（Ａ）（Ｂ）において、５０１０、５０２０は偏光板であり、５０３０は両面表
示パネルである。図１０（Ａ）は正面から見た図、図１０（Ｂ）は側面図であり、本形態
では、両面表示パネル５０３０の表裏に偏光板５０１０、５０２０を配置する。
【００６０】
上記構成を有する本パネルは、偏光板５０１０、５０２０を設けており、透明ではない
ため、パネル５０３０を介して周囲の風景が見えることはない。
【００６１】
本実施の形態は、上記の実施の形態と自由に組み合わせることができる。
（実施の形態７）
本発明の実施の形態について、図面を用いて説明する。
【００６２】
発光素子の両電極の材料、つまり陰極および陽極の材料を透光性とし、基板や封止基板
として透光性のものを用いた場合、有機化合物を含む層からの発光は、陰極を通過する発
光と、陽極を透過する発光との２通りの表示が同時に行える。
【００６３】
なお、発光素子は、一対の電極間に、有機化合物を含む層を挟んだ構造を有する。そし
て、一対の電極のうち、一方は陽極であり、他方は陰極である。
【００６４】
しかし、光学距離の違いによる干渉効果のため、上面からの発光と下面からの発光とで
光学特性（色調など）に差を生ずる。陰極および陽極の材料を透光性とした、赤、緑、青
の３種類の発光素子（ＥＬ素子）を用いてフルカラーの両面表示パネルを作製した場合、
色座標が上面からの発光と、下面からの発光とで異なってしまう問題がある。色座標が異
なると、上面と下面とで同じ階調表示を行うことが不可能となる。
【００６５】
光学距離は各波長によって異なるため、フルカラーの場合にはＲＧＢでそれぞれ有機化
合物を含む層、陽極、陰極、保護膜などの膜厚を制御する必要がある。
【００６６】
そこで本実施の形態では、陰極および陽極の材料を透光性とした発光素子（ＥＬ素子）
において、上面への発光および下面への発光ともに色調が均一、且つ、高品質な画像表示
が得られる構成の発光素子について説明する。
【００６７】
まず、図１１に示す積層モデルを用いてシミュレーションを行った。
【００６８】
３種類（Ｒ、Ｇ、Ｂ）のＥＬ素子に共通する層の膜厚、即ち、陰極となる金属薄膜の膜
厚と、その上に形成する透明導電膜の膜厚とを調節することにより、上面からの発光と下
面からの発光との色調を同一にした。
【００６９】
図１１に示すようにＩＴＯの陽極、発光層を含む複数の有機化合物を含む層（ＥＬ層）
、金属薄膜（Ａｇ、銀）の陰極、ＩＴＯの透明電極、ＳｉＮ（窒化珪素）の保護膜を順次
積層したＥＬ素子において、ＥＬ層は発光層の発光界面を境にして陰極側と陽極側とに分
けられる。なお、波長によって材料の屈折率は異なっており、図１１では最大屈折率の値
を示している。
【００７０】
なお図１１において、ｄは陽極側の薄膜の厚さであり、Ｄは陰極側の薄膜の厚さである
。
【００７１】
発光層の発光界面から陽極に向かう光は、陽極と、ＴＦＴを含む層と、透明基板とを通
過して外部発光に寄与する。また、発光層の発光界面から陰極に向かう光も、金属薄膜と
、透明電極と、保護膜と、空隙と、透明基板とを通過して外部発光に寄与する。
【００７２】
Ａｇからなる金属薄膜とＥＬ層の屈折率段差と、Ａｇからなる金属薄膜と透明電極の屈
折率段差は、他の隣接層の屈折率差よりも格段に大きい。本実施の形態では、この金属薄
膜と透明電極の膜厚を調節して陰極側からの発光と陽極側からの発光とを合わせる。
【００７３】
つまり、金属薄膜と透明電極の膜厚を調節して、陰極側からの発光の透過率及び反射率
並びに吸収率と、陽極側からの発光の透過率及び反射率並びに吸収率を合わせる。
【００７４】
フルカラー表示を行う際、６２０ｎｍにピークを有する赤色発光素子と、５３０ｎｍに
ピークを有する緑色発光素子と、４５０ｎｍにピークを有する青色発光素子とを用いると
仮定する。実際、ＥＬ素子からの発光は急峻なピークではなく、幅のひろいピークを示す
。
【００７５】
この３つの波長域（６２０ｎｍ、５３０ｎｍ、４５０ｎｍ）において、上面からの発光
と、下面からの発光との透過率、反射率、および吸収率をそれぞれシミュレーションによ
り求めると、陰極となる金属薄膜としてＡｇを用いる場合、６ｎｍ〜１０ｎｍ、代表的に
は８ｎｍとし、その上の透明導電層（ＩＴＯ）を２４０ｎｍ〜２９０ｎｍ、３８０ｎｍ〜
５００ｎｍ、代表的には２６０ｎｍとすると、Ｒ、Ｇ、Ｂのそれぞれにおいて、上面から
の発光と下面からの発光との透過率、反射率、および吸収率をほぼ同一にできる。
【００７６】
こうして、本実施の形態の構成により、上面への発光および下面への発光ともに色調が
均一、且つ、高品質な画像表示が得られる。
【００７７】
なお、ＥＬ層は、陽極側から順に、ＨＩＬ（ホール注入層）、ＨＴＬ（ホール輸送層）
、ＥＭＬ（発光層）、ＥＴＬ（電子輸送層）、ＥＩＬ（電子注入層）の順に積層する。具
体的には、ＨＩＬとしてＣｕＰｃ、ＨＴＬとしてα−ＮＰＤ、ＥＴＬとしてＢＣＰ、ＥＩ
ＬとしてＢＣＰ：Ｌｉをそれぞれ用いる。なお、ＥＭＬは、Ｒ、Ｇ、Ｂのそれぞれの発光
色に対応したドーパントをドープしたＡｌｑ3を用いればよい。
【００７８】
なお、Ａｇの膜厚が５ｎｍ以下になると電気抵抗率が高くなってしまう。また、Ａｇは
オーム接触がよい材料である。さらに、Ａｇは、後に形成されるＩＴＯのスパッタ法によ
るダメージからＥＬ層を保護する効果もある。また、Ａｇの膜厚が１１ｎｍ以上となると
光の透過率が低くなってしまうため好ましくない。Ａｇは、成膜レートを調節することに
よって、薄い膜厚でも密着性よく安定な膜質を得やすい材料である。また、透明導電層（
ＩＴＯ）が２４０ｎｍ未満であれば、上面からの発光と下面からの発光との透過率、反射
率、および吸収率に差が生じてしまう。また、透明導電層（ＩＴＯ）は、成膜時間を考慮
にいれると５００ｎｍよりも薄いほうがよい。
【００７９】
また、Ｒ、Ｇ、Ｂのそれぞれにおいて、上面からの発光と下面からの発光との透過率、
反射率、および吸収率をほぼ同一にできるのは、Ａｇの膜厚は８ｎｍ、透明導電層の膜厚
２６０ｎｍであり、各層の厚さを図１２に示す。図１２に示すように、陽極側の発光は、
３３ｎｍのＥＬ層（ＨＴＬ／ＨＩＬ）、１１０ｎｍのＩＴＯ、１００ｎｍの窒化珪素膜（
ＳＰ−ＳｉＮ）、１０００ｎｍのアクリル樹脂、１００ｎｍの酸化窒化珪素膜（ＳｉＯＮ
）、１１０ｎｍの酸化珪素膜（ＳｉＯ2、図ではＧＩと表記）、１００ｎｍの酸化窒化珪
素膜（ＳｉＯＮ）、５０ｎｍの窒化酸化珪素膜（ＳｉＮＯ）、ガラス基板を順に通過する
ものと仮定する。また、陰極側の発光は、９０ｎｍのＥＬ層（ＥＴＬ／ＥＩＬ）、８ｎｍ
のＡｇ、２６０ｎｍのＩＴＯ、１００ｎｍの窒化珪素膜（ＳＰ−ＳｉＮ）、空気、ガラス
基板を順に通過するものと仮定する。なお、ガラス基板と窒化珪素膜の間にある空気は０
ｎｍ、即ち、厚さがないものと仮定している。また、図１２の設定数値にあわせた時の透
過率、反射率、および吸収率を図１３に示す。
【００８０】
図１３に示す上記反射率と上記透過率は、以下に示す手順で多層膜のシミュレーション
を行って求める。
【００８１】
図１４に示すような第Ｎ層多層膜を考えた場合、第１層からの反射率Ｒ1は、式（１）
・・・Ｒ1＝（ｒ2＋ｒ1ｅｘｐ（−２ｉδ1））／（１＋ｒ2ｒ1ｅｘｐ（−２ｉδ1））で
表される。
【００８２】
図１４において、ｎは屈折率、ｄは膜厚、ｒはフレネル反射係数、φは入射角、Ｒは振
幅反射率（以下反射率と表記）である。つまり、ｎjは第（ｊ−１）層と第ｊ層との界面
における屈折率、ｄjは第ｊ層の厚さ、ｒjは第ｊ層のフレネル反射係数、φjは第（ｊ−
１）層から第ｊ層に入射する光の入射角、Ｒjは第ｊ層からの反射率である。また、式（
１）において、ｉは虚数単位（ｉ2＝−１）、δは位相差を示す。例えば、δ1は、光が第
１層を往復したときの位相差を示す。
【００８３】
第１層をＲ1で表される反射率をもつ境界と見なせば、第２層からの反射率Ｒ2は、式（
２）・・・Ｒ2＝（ｒ3＋Ｒ1ｅｘｐ（−２ｉδ2））／（１＋ｒ3Ｒ1ｅｘｐ（−２ｉδ2）
）で表される。
【００８４】
上記手順を最上層まで順次進めていくことによって、多層膜の反射率を得ることができ
る。実際のシミュレーションでは以下の漸化式をサブルーチン化することによってプログ
ラムを作成する。
【００８５】
そして、上記の式（１）、（２）を一般化した、第ｊ層からの反射率Ｒjは、式（３）
・・・Ｒj＝（ｒj+1＋Ｒj―1ｅｘｐ（−２ｉδj））／（１＋ｒj+1Ｒj-1ｅｘｐ（−２ｉ
δj））で表される。なお、式（３）は、Ｒ0＝ｒ1、δj＝（２π／λ）ｎjｄjｃｏｓφj
のときに成立する。
【００８６】
ただし、本実施の形態でのシミュレーションでは垂直入射の場合のみを仮定したので、
ｃｏｓφj＝１である。透過率についても同様の手順で求めることができる。第ｊ層の振
幅透過率（以下透過率と表記）Ｔjの漸化式は、式（４）・・・Ｔj＝Ｔj+1ｔj-1ｅｘｐ（
−ｉδj）／（１＋ｒj+1Ｒj-1ｅｘｐ（−２ｉδj））で表される。なお、式（４）は、Ｔ
N＝ｔN、δj＝（２π／λ）ｎjｄjｃｏｓφjのときに成立する。
【００８７】
なお、式（４）において、ｔはフレネル透過係数である。つまり、ｔjは第ｊ層のフレ
ネル透過係数である。
【００８８】
なお、透過率についてもｃｏｓφj＝１とする。
【００８９】
以上の手順により，多層膜の反射率と透過率を求めることができる。また、吸収率は、
１−（反射率＋透過率）で求めることができる。
【００９０】
上記のように、６２０ｎｍにピークを有する赤色発光素子と、５３０ｎｍにピークを有
する緑色発光素子と、４５０ｎｍにピークを有する青色発光素子を用いると仮定したとき
、各々の発光素子を構成する積層体の膜厚を調節することにより、陰極側と陽極側の透過
率及び反射率並びに吸収率から選択された一つ又は複数を、同一又はほぼ同一にすること
ができる。そして、透過率及び反射率並びに吸収率から選択された1つまたは複数の値を
用いて、赤、緑及び青の色度座標を算出すると、色度図において、青、緑、及び青の３つ
の色度座標は、陰極側と陽極側とで、同一又はほぼ同一の三角形を形成する。その結果、
上面への発光および下面への発光ともに色調が均一、且つ、高品質な画像表示が得られる
。
【００９１】
つまり、本発明の構成要素である発光素子は、透光性である第１の電極と、該第１の電
極上に接し、且つ赤、緑及び青の各色の光を発する有機化合物を含む層と、該有機化合物
を含む層上に接する透光性である第２の電極とを有する。そして、第１の電極を通過する
発光と第２の電極を通過する発光の透過率、吸収率及び反射率から選択された一つ又は複
数は、同一又はほぼ同一であることを特徴とする。
【００９２】
また、ここでは金属薄膜をＡｇとした例を示したが、仕事関数の小さい材料、例えば、
Ａｌ、Ｌｉ、Ｃａ、またはこれらの合金ＭｇＡｇ、ＭｇＩｎ、ＡｌＬｉ、ＣａＦ2、また
はＣａＮを用いることができる。また、透明電極としてＩＴＯ（酸化インジウム酸化スズ
合金）とした例を示したが、Ｉｎ2Ｏ3―ＺｎＯ（酸化インジウム酸化亜鉛合金）、ＺｎＯ
（酸化亜鉛）、ＩＴＳＯ（Ｓｉを含む酸化インジウム酸化スズ合金）等を用いることがで
きる。これらの材料を用いる場合には材料の屈折率を考慮して膜厚を決定すればよい。
【００９３】
また、本発明は、３種類（Ｒ、Ｇ、Ｂ）のＥＬ素子を用いてフルカラー表示を行う発光
装置に限らず、白色発光のＥＬ素子とカラーフィルタとを組み合わせてフルカラー表示を
行う両面表示パネルや、青色発光のＥＬ素子と色変換層とを組み合わせてフルカラー表示
を行う両面表示パネルにも適用することができる。
【００９４】
つまり、本発明の構成要素である発光素子は、透光性である第１の電極と、該第１の電
極上に接し、白色の光を発する有機化合物を含む層と、該有機化合物を含む層上に接する
透光性である第２の電極とを有する。また、第１の電極上に設けられた第１のカラーフィ
ルタと、第２の電極上に設けられた第２のカラーフィルタを有する。そして、第１の電極
及び第１のカラーフィルタを通過する発光と、第２の電極と第２のカラーフィルタを通過
する発光の透過率、吸収率及び反射率から選択された一つ又は複数は、同一又はほぼ同一
である。
【００９５】
本実施の形態は、上記の実施の形態と自由に組み合わせることができる。
（実施の形態８）
本発明の実施の形態について、図１６（Ａ）〜（Ｆ）を用いて説明する。図１６（Ａ）
は開いた状態で内側から見た図、図１６（Ｂ）は開いた状態の断面図、図１６（Ｃ）は開
いた状態で外側から見た図、図１６（Ｄ）は閉じた状態で第１の筐体９３１１側から見た
図、図１６（Ｅ）は閉じた状態の断面図、図１６（Ｆ）は第２の筐体９３１２側から見た
図である。本発明の折り畳み型携帯端末は、受話部９３０１と両面表示パネル９３０７を
有する第１の筐体９３１１と、送話部９３０４と操作ボタン９３０３を有する第２の筐体
９３１２を有し、ヒンジを介して、折り畳みができるように連結されている（図１６（Ｂ
）参照）。
【００９６】
両面表示パネル９３０７の表裏には、第１の表示画面９３０５と第２の表示画面９３０
６が設けられる。また、両面表示パネル９３０７の表裏には、偏光板９３０８、９３０９
が貼られている。２枚の偏光板９３０８、９３０９は、その偏光方向が交差するように配
置することで外光を遮断することができる。交差する角度は、４０度乃至９０度、好まし
くは７０度乃至９０度、より好ましくは９０度とすればよい。上記構成により、表示を行
う領域以外は、黒の表示を行うため、どちらの側から見ても、背景が透けてみえることが
ない。
【００９７】
つまり、偏光板９３０８、９３０９の配置により、両面表示パネル９３０７に外光が透
過することなく、発光素子から発光した光のみが透過するため、コントラストが向上する
。
【００９８】
偏光板９３０８、９３０９は、一方又は双方を回動自在とする手段を付加して、交差す
る角度を変えることにより両面表示パネル９３０７の透過率を変化させることもできる。
すなわち、調光機能を付加することもできる。また、偏光板９３０８、９３０９の外側に
は、反射防止膜または反射防止フィルムを設け、反射率を低減させると表示品位を高める
ことができる。その他にも１／２波長板又は１／４波長板（若しくは当該フィルム）を付
加しても良い。このように光学機能性フィルムを付加することで、表示品質が向上し、特
に黒色のしずみ込みが良いものとすることができる。
【００９９】
１／２波長板（λ／２板、位相差板ともいう）は、結晶軸とそれに直交する軸との間に
位相差π（１８０°）を与える機能を有する。また、１／４波長板（λ／４板、位相差板
ともいう）は、結晶軸とそれに直交する軸との間に位相差π／２（９０°）を与える機能
を有する。つまり、結晶軸に対し４５°方位で直線偏光を入射させた場合は円偏光となり
、逆に円偏光入射時は方位４５°の直線偏光となって出射する。そして、１／２波長板と
１／４波長板の一方又は両方は、両面表示パネル９３０７の表面に貼り付けられ、偏光板
９３０８、９３０９は、１／２波長板と１／４波長板の一方又は両方の表面に貼り付けら
れる。波長板の配置により、パネルで反射した外光は、偏光板の偏光軸と９０度異なる偏
光軸を有するので、偏光板を透過しない。つまり、両面表示パネル９３０７の内部の反射
による不要光を削減し、よりきれいな黒表示、高コントラスト化を実現する。
【０１００】
本発明の折り畳み型携帯端末は、開閉検知手段を有し、当該手段は、第１の筐体９３１
１に設けられた突起９３１３と、第２の筐体９３１２に設けられた穴９３１４及び制御手
段９３１５から構成される。第１の筐体９３１１と第２の筐体９３１２が閉じた状態にな
ると、突起９３１３が穴９３１４の下部に配置された制御手段９３１５に接する状態とな
り、そうすると、第１の表示画面９３０５において通常表示を行うように設定される。一
方、第１の筐体９３１１と第２の筐体９３１２を開いた状態にすると、制御手段９３１５
に接する突起がない状態となり、そうすると、第２の表示画面９３０６において通常表示
を行うように設定される。なお、開閉検知手段は、上記構成に制約されず、通常のボタン
を用いて、使用者が行ってもよい。
【０１０１】
なお、上記の波長板及び偏光板を有する両面表示パネル１０１は、表示装置として用い
たり、携帯端末だけではなく、他の電子機器へ適用してもよい。
【実施例１】
【０１０２】
本実施例では、本発明の折り畳み型携帯端末の構成要素とそれらの関係について、図７
に示すブロック図を用いて説明する。
【０１０３】
最初に、携帯端末のうち携帯電話機を例に挙げると、基幹となる構成要素として、両面
表示パネル１０１、受話部であるスピーカ１０２、送話部であるマイクロホン１０３、使
用者が操作する操作ボタン１０４が挙げられる。
【０１０４】
図４に示したように、両面表示パネル１０１は、イメージセンサ３０６を有していても
よく、各々は、コントローラ３０１、センサコントローラ３０２により制御される。また
操作ボタン１０４はボタンコントローラ３０３により制御される。これらのコントローラ
は、ＣＰＵ３００により集中して管理される。また、ＣＰＵ３００は、フラッシュメモリ
３１０、ＤＲＡＭ３１１及びＶＲＡＭ３１２などの記憶媒体、外部インターフェイス３０
９、開閉検知センサ３０８、赤外線通信３０７等に接続される。
【０１０５】
また、両面表示パネル１０１は、切り換え回路３２１に接続する。切り換え回路３２１
は、両面表示パネル１０１が含む２つの表示画面における表示を制御する役割を担うもの
であり、具体的には、両面表示パネル１０１が含む２つの表示画面のうち、どちらの表示
画面に通常表示を行うかを制御する役目を担う。
【０１０６】
使用者が操作ボタン１０４を操作すると、ボタンコントローラ３０３、ＣＰＵ３００及
びコントローラ３０１を介して両面表示パネル１０１に情報が表示される。また、使用者
がイメージセンサ３０６を操作するときも同じような経路をたどり、センサコントローラ
３０２、ＣＰＵ３００及びコントローラ３０１を介して両面表示パネル１０１に情報が表
示される。
【０１０７】
使用者が相手の話を聞く拡声器となるスピーカ１０２は、使用者の耳に届くまでに、以
下のような回路を介する。まず、送受信回路３２０において、相手の話の情報を受け取り
、その後、ＣＰＵ３００を介してデータ処理回路３１３に当該情報が供給される。そして
、Ｄ／Ａ変換回路３１５において、アナログの信号に変換され、変換されたアナログ信号
がアンプ３１７において増幅されて、最終的にスピーカ１０２に供給される。なお、マイ
クロホン１０３を介して、自分の声を相手の携帯端末に供給するためには、逆の経路をた
どれる。つまり、マイクロホン１０３からアンプ３１６、Ａ／Ｄ変換回路３１４を介して
、自分の声の情報がデータ処理回路３１３に伝達され、最終的に送受信回路３２０に供給
され、相手の携帯端末に届けられる。
【０１０８】
また、撮影する機能を有するカメラ３０５はカメラコントローラ３０４により制御され
、該カメラコントローラはＣＰＵ３００により管理される。カメラ３０５により撮影され
た画像は、フラッシュメモリ３１０などの記憶媒体に保存され、ＣＰＵ３００を介して、
使用者による操作ボタン１０４の操作に従って、両面表示パネル１０１に表示される。
【０１０９】
図７には、本携帯端末の構成要素をいくつか挙げたが、本発明はこれに限定されず、そ
の他の構成要素を具備してもよい。
【０１１０】
本実施例は、上記の実施の形態と自由に組み合わせることが可能である。
【実施例２】
【０１１１】
本実施例では、本発明の携帯端末の一構成要素である切り換え回路について、図面を用
いて説明する。
【０１１２】
本発明の携帯端末は、両面表示パネル１０１を搭載しており、見る向きによっては、通
常の表示ではなく、水平反転した表示を簡単に見ることができる。そこで、図９（Ｂ）の
フローチャートに示すように、まず電源をオンした後、折り畳み型携帯端末の２つの筐体
の開いた状態及び閉じた状態を認識する開閉検知センサ３０８や操作ボタン１０４を起動
する。続いて、切り換え回路３２１も起動する。そして、開閉検知センサ３０８又は操作
ボタン１０４から信号が供給され、該信号がパネル１０１に供給される。そうすることで
、両面表示パネル１０１に表示される映像を簡単に水平反転できるようにすることが好ま
しい。
【０１１３】
上記構成により、表示を簡単に変えて、使用者が通常表示を見ることができる。なお、
表示の切り換えは、開閉検知センサ３０８と操作ボタン１０４のどちらを用いてもよい。
開閉検知センサ３０８を用いる場合は、筐体を開いた状態では内側の表示画面において通
常表示を行って、筐体を閉じた状態では外側の表示画面で通常表示を行うように、自動的
に表示の切り換えを行うとよい。
【０１１４】
そこで本実施例では、両面表示パネル１０１に表示される映像を水平反転する方法の一
例について説明する。ここでは、両面表示パネル１０１が信号線駆動回路４０１、走査線
駆動回路４０２及び画素部４０３を有する場合を例に挙げて説明する。
【０１１５】
切り換え回路３２１は、図８（Ａ）に示すように、両面表示パネル１０１が有する信号
線駆動回路４０１及び走査線駆動回路４０２を制御する。そして、分割駆動を行わない場
合には、切り換え回路３２１により、スタートパルスを供給する箇所を切り換える。より
詳しくは、通常表示を行う場合、１列目１行目が最初に動作するように、スタートパルス
（Ｓ−ＳＰ１、Ｇ−ＳＰ２）を供給する。一方、水平反転表示を行う場合、最終列目最終
行目が最初に動作するようにスタートパルス（Ｓ−ＳＰ２、Ｇ−ＳＰ２）を供給する。そ
うすると、両面表示パネル１０１に表示される画像を簡単に水平反転させることができる
。
【０１１６】
分割駆動を行う場合には、走査線駆動回路４０２の動作は通常の動作と同じで、信号線
駆動回路４０１の動作を工夫する。本実施例では、ビデオ線４０６が４本配置され、画素
４０４が８個配置された場合を例に挙げて説明する。
【０１１７】
通常表示を行う場合、図８（Ｂ）に示すように、画素Ａ〜Ｈの８つの画素の各々には、
ビデオ信号（１）〜（８）が順に供給される。これは、通常のパネルの走査と同じである
。一方、水平反転表示を行う場合には、図８（Ｃ）に示すように、画素Ａ〜Ｈの８つの画
素の各々には、ビデオ信号（８）〜（１）が順に供給されるようにする。つまり、水平反
転動作を行う場合には、ビデオ線４０６に供給するビデオ信号を変える。例えば、通常表
示では、１本目のビデオ線にビデオ信号（１）、（５）が供給されていたのに対し、水平
反転表示では、１本目のビデオ線にビデオ信号（８）、（４）が供給されるようにする。
そうすると、簡単に、両面表示パネル１０１に表示される画像を水平反転することができ
る。
【０１１８】
なお、両面表示パネル１０１に時間階調表示を適用する場合には、ビデオ信号をメモリ
に読み込んだ後、時間階調表示用の信号に変換する。従って、この場合には、ビデオ信号
をメモリに読み込む際、ビデオ信号を読み込む順番を適宜変えることで、通常表示又は水
平反転表示に対応することが好ましい。
【０１１９】
本実施例は、上記の実施の形態、実施例と自由に組み合わせることが可能である。
【実施例３】
【０１２０】
本実施例では、本携帯端末に用いられるシステムについて、図面を用いて説明する。
【０１２１】
上記の実施の形態において、図４を用いて説明した構成の両面表示パネル１０１を用い
ると、表示機能と読み取り機能の２つの機能を有する携帯端末を提供することができる。
本実施例では、この読み取り機能を活かした本人認証システムについて、図７と、図９（
Ａ）のフローチャートを用いて説明する。
【０１２２】
まず、両面表示パネル１０１内に設けられたイメージセンサ３０６を用いて、本人の生
体情報を読み取る。ここで、生体情報とは、人間が生まれつき持っている身体的な特徴で
、なおかつ人間の個体識別が可能な情報を意味する。代表的な生体情報としては、指紋、
掌紋等が挙げられる。本携帯端末の筐体のサイズ、両面表示パネル１０１のサイズを考慮
すると、指の指紋、特に親指の指紋を生体情報として読み取ることが好ましい。しかし、
本発明はこれに限定されず、掌紋でもよいし、マイクロホン１０３を用いて入手した声紋
を生体情報として用いてもよい。
【０１２３】
得られた生体情報は、予め携帯端末内に設けられた記憶媒体に蓄えられた生体情報と、
ＣＰＵ３００を介して、比較照合される。ここで、２つの情報が合致すれば、使用者は本
携帯端末の正しい所有者と認証されて、該使用者は続けて、処理（ここではインターネッ
ト接続処理）を行うことができる。そして、この処理が終わると、次の操作にうつること
ができる。なお、仮に得られた生体情報が、合致しなければ、再度読み取り動作を行う。
【０１２４】
本実施例に示す本人認証システムは、例えば、課金制の通信処理や、携帯端末の記憶媒
体の書き換え処理など、他人に操作されると困る全ての処理の前に行うことが好ましい。
そうすることによって、携帯端末を用いた不正な処理を防ぐことができる。
【０１２５】
本実施例は、上記の実施の形態、実施例と自由に組み合わせることが可能である。
【実施例４】
【０１２６】
本実施例では、両面出射型の発光装置（両面表示パネル）について、図１５を用いて説
明する。
【０１２７】
図１５（Ａ）は画素部の一部の断面を示す図である。また、図１５（Ｂ）には発光領域
における積層構造を簡略化したものを示す。図１５（Ｂ）に示すように上面と下面の両方
に発光を放出することができる。なお、発光領域の配置、即ち画素電極の配置としてはス
トライプ配列、デルタ配列、モザイク配列などを挙げることができる。
【０１２８】
図１５（Ａ）において、５００は第１の基板、５０１、５０１ａ、５０１ｂは絶縁層、
５０２はＴＦＴ、５０８が第１の電極（透明導電層）、５０９は絶縁物（隔壁、土手とも
呼ばれる）、５１０はＥＬ層、５１１は第２の電極、５１２は透明保護層、５１３は空隙
、５１４は第２の基板、５１９は透明導電層である。
【０１２９】
第１の基板５００上に設けられたＴＦＴ５０２（ｐチャネル型ＴＦＴ）は、発光するＥ
Ｌ層５１０に流れる電流を制御する素子であり、５０４はドレイン領域（またはソース領
域）である。また、５０６は第１の電極５０８とドレイン領域（またはソース領域）５０
４とを接続するドレイン電極（またはソース電極）である。また、ドレイン電極５０６と
同じ工程で電源供給線やソース配線などの配線５０７も同時に形成される。ここでは第１
の電極５０８とドレイン電極５０６とを別々に形成する例を示したが、同一としてもよい
。第１の基板５００上には下地絶縁膜（ここでは、下層を窒化絶縁膜、上層を酸化絶縁膜
）となる絶縁層５０１ａが形成されており、ゲート電極５０５と活性層との間には、ゲー
ト絶縁膜（図示せず）が設けられている。また、５０１ｂは有機材料または無機材料から
なる層間絶縁膜である。また、ここでは図示しないが、一つの画素には、他にもＴＦＴ（
ｎチャネル型ＴＦＴまたはｐチャネル型ＴＦＴ）を一つ、または複数設けている。また、
ここでは、一つのチャネル形成領域５０３を有するＴＦＴを示したが、特に限定されず、
複数のチャネルを有するＴＦＴとしてもよい。
【０１３０】
加えて、ここではトップゲート型ＴＦＴを例として説明したが、ＴＦＴ構造に関係なく
本発明を適用することが可能であり、例えばボトムゲート型（逆スタガ型）ＴＦＴや順ス
タガ型ＴＦＴに適用することが可能である。
【０１３１】
また、５０８は、透明導電膜からなる第１の電極、即ち、ＥＬ素子の陽極（或いは陰極
）である。透明導電膜としては、ＩＴＯ、Ｉｎ2Ｏ3−ＺｎＯ、ＺｎＯ等を用いることがで
きる。
【０１３２】
また、第１の電極５０８の端部（および配線５０７）を覆うように、絶縁物５０９（バ
ンク、隔壁、障壁、土手などと呼ばれる）を有している。絶縁物５０９としては、無機材
料（酸化シリコン、窒化シリコン、酸化窒化シリコンなど）、感光性または非感光性の有
機材料（ポリイミド、アクリル、ポリアミド、ポリイミドアミド、レジストまたはベンゾ
シクロブテン）、またはこれらの積層などを用いることができるが、ここでは窒化シリコ
ン膜で覆われた感光性の有機樹脂を用いる。なお、有機樹脂の材料としてポジ型の感光性
アクリルを用いた場合、絶縁物の上端部のみに曲率半径を有する曲面を持たせることが好
ましい。また、絶縁物５０９として、感光性の光によってエッチャントに不溶解性となる
ネガ型、或いは光によってエッチャントに溶解性となるポジ型のいずれも使用することが
できる。
【０１３３】
また、有機化合物を含む層５１０は、蒸着法または塗布法を用いて形成する。本実施例
では、有機化合物を含む層５１０を蒸着装置で成膜を行い、均一な膜厚を得る。なお、信
頼性を向上させるため、有機化合物を含む層５１０の形成直前に真空加熱（１００℃〜２
５０℃）を行って脱気を行うことが好ましい。例えば、蒸着法を用いる場合、真空度が５
×１０-3Ｔｏｒｒ（０．６６５Ｐａ）以下、好ましくは１０-4〜１０-6Ｐａまで真空排気
された成膜室で蒸着を行う。蒸着の際、予め、抵抗加熱により有機化合物は気化されてお
り、蒸着時にシャッターが開くことにより基板５００の方向へ飛散する。気化された有機
化合物は、上方に飛散し、メタルマスクに設けられた開口部を通って基板５００に蒸着さ
れる。
【０１３４】
なお、ＥＬ層（有機化合物を含む層）５１０は、陽極側から順に、ＨＩＬ（ホール注入
層）、ＨＴＬ（ホール輸送層）、ＥＭＬ（発光層）、ＥＴＬ（電子輸送層）、ＥＩＬ（電
子注入層）の順に積層する。代表的には、ＨＩＬとしてＣｕＰｃ、ＨＴＬとしてα−ＮＰ
Ｄ、ＥＴＬとしてＢＣＰ、ＥＩＬとしてＢＣＰ：Ｌｉをそれぞれ用いる。
【０１３５】
また、ＥＬ層（有機化合物を含む層）５１０としては、フルカラー表示とする場合、具
体的には赤色、緑色、青色の発光を示す材料層をそれぞれ蒸着マスクを用いた蒸着法、ま
たはインクジェット法などによって適宜、選択的に成膜すればよい。
【０１３６】
また、上記ＥＬ層の積層構造に限定されず、緑色の発光を示すＥＬ層（有機化合物を含
む層）５１０を形成する場合、α−ＮＰＤを６０ｎｍ成膜した後、同一の蒸着マスクを用
いて、緑色の発光層としてＤＭＱＤが添加されたＡｌｑ3を４０ｎｍ成膜し、電子輸送層
としてＡｌｑ3を４０ｎｍ成膜し、電子注入層としてＣａＦ2を１ｎｍ成膜する。また、青
色の発光を示すＥＬ層（有機化合物を含む層）５１０を形成する場合、α−ＮＰＤを６０
ｎｍ成膜した後、同一のマスクを用いて、ブロッキング層としてＢＣＰを１０ｎｍ成膜し
、電子輸送層としてＡｌｑ3を４０ｎｍ成膜し、電子注入層としてＣａＦ2を１ｎｍ成膜す
る。また、赤色の発光を示すＥＬ層（有機化合物を含む層）５１０を形成する場合、α−
ＮＰＤを６０ｎｍ成膜した後、同一のマスクを用いて、赤色の発光層としてＤＣＭが添加
されたＡｌｑ3を４０ｎｍ成膜し、電子輸送層としてＡｌｑ3を４０ｎｍ成膜し、電子注入
層としてＣａＦ2を１ｎｍ成膜する。
【０１３７】
また、白色発光として、カラーフィルタや色変換層などを別途設けることによってフル
カラー表示可能な発光表示装置としてもよい。簡単な表示のみを行う表示装置、照明装置
として使用する場合、単色発光（代表的には白色発光）とすればよい。例えば、ホール輸
送性のポリビニルカルバゾール（ＰＶＫ）に電子輸送性の１，３，４−オキサジアゾール
誘導体（ＰＢＤ）を分散させてもよい。また、３０ｗｔ％のＰＢＤを電子輸送剤として分
散し、４種類の色素（ＴＰＢ、クマリン６、ＤＣＭ１、ナイルレッド）を適当量分散する
ことで白色発光が得られる。また、赤色発光する有機化合物膜や緑色発光する有機化合物
膜や青色発光する有機化合物膜を適宜選択し、重ねて混色させることによって全体として
白色発光を得ることも可能である。
【０１３８】
また、５１１は、導電膜からなる第２の電極、即ち、発光素子の陰極（或いは陽極）で
ある。第２の電極５１１の材料としては、ＭｇＡｇ、ＭｇＩｎ、ＡｌＬｉ、ＣａＦ2、Ｃ
ａＮなどの合金、または周期表の１族もしくは２族に属する元素とアルミニウムとを共蒸
着法により形成した透光性を有する金属薄膜を用いる。ここでは、第２の電極５１１を通
過させて発光させる両面出射型であるので、６ｎｍ〜１０ｎｍのアルミニウム膜、もしく
はＬｉを微量に含むアルミニウム膜を用いる。第２の電極５１１としてＡｌ膜を用いる構
成とすると、有機化合物を含む層５１０と接する材料を酸化物以外の材料で形成すること
が可能となり、発光装置の信頼性を向上させることができる。また、６ｎｍ〜１０ｎｍの
アルミニウム膜を形成する前に陰極バッファ層としてＣａＦ2、ＭｇＦ2またはＢａＦ2か
らなる透光性を有する層（膜厚１ｎｍ〜５ｎｍ）を形成してもよい。
【０１３９】
また、上面からの発光と下面からの発光との透過率、吸収率、および反射率を同一とす
るため、および陰極の低抵抗化を図るため、６ｎｍ〜１０ｎｍの金属薄膜上に透明導電層
５１９（ＩＴＯ、Ｉｎ2Ｏ3−ＺｎＯ、ＺｎＯ等）を、膜厚範囲２４０ｎｍ〜２９０ｎｍ、
或いは３８０ｎｍ〜５００ｎｍで形成すればよい。こうして上面からの発光と下面からの
発光との表示における色調の差をなくす。また、陰極の低抵抗化を図るため、発光領域と
ならない領域の第２の電極５１１上に補助電極を設けてもよい。また、陰極形成の際には
蒸着による抵抗加熱法を用い、蒸着マスクを用いて選択的に形成すればよい。
【０１４０】
また、５１２はスパッタ法または蒸着法により形成する透明保護層であり、金属薄膜か
らなる第２の電極５１１を保護するとともに水分の侵入を防ぐ封止膜となる。透明保護層
５１２は、スパッタ法またはＣＶＤ法により得られる窒化珪素膜、酸化珪素膜、酸化窒化
珪素膜（ＳｉＮＯ膜（組成比Ｎ＞Ｏ）またはＳｉＯＮ膜（組成比Ｎ＜Ｏ））、炭素を主成
分とする薄膜（例えばＤＬＣ膜、ＣＮ膜）を用いることができる。これらの無機絶縁膜は
水分に対して高いブロッキング効果を有しているが、膜厚が厚くなると膜応力が増大して
ピーリングや膜剥がれが生じやすい。
【０１４１】
こうして形成された透明保護層５１２は、有機化合物を含む層を発光層とする発光素子
の封止膜として最適である。なお、基板間隔を確保するためのギャップ材を含有するシー
ル材（図示せず）によって、第２の基板５１４と第１の基板５００とが貼り合わされてい
る。
【０１４２】
また、保護層として、陰極５１１上に第１の無機絶縁膜と、応力緩和膜と、第２の無機
絶縁膜との積層を形成してもよい。例えば、陰極を形成した後、第１の無機絶縁膜を５ｎ
ｍ〜５０ｎｍ形成し、蒸着法で吸湿性および透明性を有する応力緩和膜（有機化合物を含
む層など）を１０ｎｍ〜１００ｎｍ形成し、さらに再度、第２の無機絶縁膜を５ｎｍ〜５
０ｎｍ形成すればよい。また、応力緩和膜と無機絶縁膜との積層を２以上繰り返し積層し
てもよい。
【０１４３】
また、本実施例では第２の基板５１４を構成する材料としてガラス基板や石英基板の他
、ＦＲＰ（Fiberglass-Reinforced Plastics）、ＰＶＦ（ポリビニルフロライド）、マイ
ラー、ポリエステルまたはアクリル等からなるプラスチック基板を用いることができる。
また、本実施例では、一対の基板間を空隙（不活性気体）５１３とした例を示したが、透
明なシール材を一対の基板間に充填してもよい。充填するシール材としては、透光性を有
している材料であれば特に限定されず、代表的には紫外線硬化または熱硬化のエポキシ樹
脂を用いればよい。ここでは屈折率１．５０、粘度５００ｃｐｓ、ショアＤ硬度９０、テ
ンシル強度３０００ｐｓｉ、Ｔｇ点１５０℃、体積抵抗１×１０15Ω・ｃｍ、耐電圧４５
０Ｖ／ｍｉｌである高耐熱のＵＶエポキシ樹脂（エレクトロライト社製：２５００Ｃｌｅ
ａｒ）を用いる。また、透明なシール材を一対の基板間に充填することによって、一対の
基板間を空間（不活性気体）とした場合に比べて全体の透過率を向上させることができる
。
【０１４４】
また、本実施例は、実施の形態と自由に組み合わせることができる。
【実施例５】
【０１４５】
本発明の構成要素である発光素子の構造について説明する。発光素子は、ガラス、石英
、金属や有機物等の絶縁表面を有する基板の一表面に設けられた導電層、発光層及び導電
層の積層体に相当する。発光素子は、発光層が複数の層からなる積層型、発光層が一つの
層からなる単層型、発光層が複数の層からなるがその境界が明確ではない混合型のいずれ
でもよい。また、発光素子の積層構造には、下から陽極に相当する導電層＼発光層＼陰極
に相当する導電層を積層する順積み構造、下から陰極に相当する導電層＼発光層＼陽極に
相当する導電層を積層する逆積み構造があるが、発光素子を駆動するトランジスタの導電
型や電流の流れる向きに応じて、適切な構造を選択するとよい。発光層には有機材料（低
分子、高分子、中分子）、有機材料と無機材料を組み合わせた材料、シングレット材料、
トリプレット材料又はそれらを組み合わせた材料のいずれを用いてもよい。また発光素子
から発せられる光には、一重項励起状態から基底状態に戻る際の発光（蛍光）と三重項励
起状態から基底状態に戻る際の発光（リン光）とが含まれて、本発明はその一方又は両方
を用いることができる。発光素子は、広視野角、バックライトを必要としないことによる
薄型、軽量を実現し、また応答速度が速いために動画の表示に適する。このような発光素
子を用いた表示装置を用いることにより、高機能化と高付加価値化が実現する。本実施例
は、上記の実施の形態と自由に組み合わせることができる。
【図面の簡単な説明】
【０１４６】
【図１】本発明の折り畳み型携帯端末を説明する図である。
【図２】本発明の折り畳み型携帯端末の使用方法を示す図である。
【図３】両面表示パネルの断面図である。
【図４】イメージセンサ機能を含む両面表示パネルの断面図及び回路図である。
【図５】両面表示パネルの断面図である。
【図６】本発明の折り畳み型携帯端末を説明する図である。
【図７】本発明の折り畳み型携帯端末の構成を説明するブロック図である。
【図８】切り換え回路を説明するブロック図である。
【図９】本人認証システムを説明するフローチャートである。
【図１０】両面表示パネルを説明する図である。
【図１１】ＥＬ素子の積層モデル図である。
【図１２】ＥＬ素子における積層の各膜厚を示す図である。
【図１３】透過率、吸収率、および反射率を示す図である。
【図１４】多層膜のモデル図である。
【図１５】ＴＦＴおよびＥＬ素子を示す断面図である。
【図１６】本発明の折り畳み型携帯端末を説明する図である。
【図１】
2006163430.tif 000003
【図２】
2006163430.tif 000004
【図３】
2006163430.tif 000005
【図４】
2006163430.tif 000006
【図５】
2006163430.tif 000007
【図６】
2006163430.tif 000008
【図７】
2006163430.tif 000009
【図８】
2006163430.tif 000010
【図９】
2006163430.tif 000011
【図１０】
2006163430.tif 000012
【図１１】
2006163430.tif 000013
【図１２】
2006163430.tif 000014
【図１３】
2006163430.tif 000015
【図１４】
2006163430.tif 000016
【図１５】
2006163430.tif 000017
【図１６】
2006163430.tif 000018